【手続補正書】
【提出日】平成28年10月21日(2016.10.21)
【手続補正１】
【補正対象書類名】明細書
【補正対象項目名】００１０
【補正方法】変更
【補正の内容】
【００１０】
上記目的を達成するために、本発明は、複数の層を有するフレキシブルプリント基板であって、光透過性を有する基材と、前記基材の一方面に形成される第１の配線パターンと、前記第１の配線パターンの表面を被覆する不透明な第１のカバーレイフィルムと、前記基材の他方面に形成される第２の配線パターンおよびパターン指標と、前記第２の配線パターンおよび前記パターン指標の表面を被覆する不透明な第２のカバーレイフィルムとを備え、  前記第１のカバーレイフィルムには、開口部が形成され、前記第１のカバーレイフィルムは、前記第１の配線パターンが形成されていない前記開口部のまわりで前記基材の一方面を被覆し、前記第２のカバーレイフィルムは、前記第２の配線パターンも前記パターン指標も形成されていない前記基材の他方面を被覆し、前記開口部は、前記パターン指標が前記開口部から視認することができるように形成されていることを特徴とする。
【手続補正２】
【補正対象書類名】特許請求の範囲
【補正対象項目名】全文
【補正方法】変更
【補正の内容】
【特許請求の範囲】
【請求項１】
複数の層を有するフレキシブルプリント基板であって、
光透過性を有する基材と、
前記基材の一方面に形成される第１の配線パターンと、
前記第１の配線パターンの表面を被覆する不透明な第１のカバーレイフィルムと、
前記基材の他方面に形成される第２の配線パターンおよびパターン指標と、
前記第２の配線パターンおよび前記パターン指標の表面を被覆する不透明な第２のカバーレイフィルムとを備え、
前記第１のカバーレイフィルムには、開口部が形成され、
前記第１のカバーレイフィルムは、前記第１の配線パターンが形成されていない前記開口部のまわりで前記基材の一方面を被覆し、
前記第２のカバーレイフィルムは、前記第２の配線パターンも前記パターン指標も形成されていない前記基材の他方面を被覆し、
前記開口部は、前記パターン指標が前記開口部から視認することができるように形成されていることを特徴とするフレキシブルプリント基板。
【請求項２】
前記パターン指標は、前記基材の他方面に形成される他の配線パターンの一部を抜いた中抜きすることによって形成されることを特徴とする請求項１に記載のフレキシブルプリント基板。
【請求項３】
前記開口部は前記フレキシブルプリント基板の外形端に達しており、
前記パターン指標は、前記開口部より大きく前記フレキシブルプリント基板の外形端に達していることを特徴とする請求項１または２に記載のフレキシブルプリント基板。
【請求項４】
前記パターン指標は、数字、文字、記号、マーク、および前記数字と前記文字と前記記号と前記マークのうち任意の組み合わせから選択されることを特徴とする請求項１乃至３のいずれか１項に記載のフレキシブルプリント基板。
【請求項５】
前記パターン指標は、前記フレキシブルプリント基板を折り曲げる際の目印となる折り目指標、および製品記号を含む中から選択されることを特徴とする請求項１乃至４のいずれか１項に記載のフレキシブルプリント基板。
【請求項６】
前記パターン指標は、数字、文字、記号、および前記数字と前記文字と前記記号の組み合わせのいずれかである場合、前記フレキシブルプリント基板の一方の面から前記パターン指標を目視した際に前記パターン指標が反転して形成されていることを特徴とする請求項５に記載のフレキシブルプリント基板。
【請求項７】
請求項１乃至６のいずれか１項に記載のフレキシブルプリント基板を備えることを特徴とする電子機器。
【請求項８】
複数の層を有するフレキシブルプリント基板であって、
光透過性を有する第１の基材と、
前記第１の基材の一方面に形成される第１の配線パターンと、
前記第１の配線パターンの表面を被覆する不透明な第１のカバーレイフィルムと、
光透過性を有し、前記第１の基材の他方面に配置される第２の基材と、
前記第１の基材の他方面と前記第２の基材の一方面との間に形成される第２の配線パターンと、
前記第２の基材の他方面に形成される第３の配線パターンおよびパターン指標と、
前記第３の配線パターンおよび前記パターン指標の表面を被覆する不透明な第２のカバーレイフィルムとを備え、
前記第１のカバーレイフィルムには、開口部が形成され、
前記第１のカバーレイフィルムは、前記第１の配線パターンが形成されていない前記開口部のまわりで前記基材の一方面を被覆し、
前記第２のカバーレイフィルムは、前記第２の配線パターンも前記パターン指標も形成されていない前記第２の基材の他方面を被覆し、
前記第２の配線パターンは、前記開口部と重なる領域を避けて配線され、
前記開口部は、前記パターン指標が前記開口部から視認することができるように形成されていることを特徴とするフレキシブルプリント基板。
【請求項９】
前記パターン指標は、前記第２の基材の他方面に形成される第３の配線パターンの一部を中抜きすることによって形成されることを特徴とする請求項８に記載のフレキシブルプリント基板。
【請求項１０】
前記パターン指標は、数字、文字、記号、マーク、および前記数字と前記文字と前記記号と前記マークのうち任意の組み合わせから選択されることを特徴とする請求項８または９に記載のフレキシブルプリント基板。
【請求項１１】
前記パターン指標は、前記フレキシブルプリント基板を折り曲げる際の目印となる折り目指標、および製品記号を含む中から選択されることを特徴とする請求項８乃至１０のいずれか１項に記載のフレキシブルプリント基板。
【請求項１２】
前記パターン指標が、数字、文字、記号、および前記数字と前記文字と前記記号の組み合わせのいずれかである場合、前記フレキシブルプリント基板の一方の面から前記パターン指標を目視した際に前記パターン指標が反転して形成されていることを特徴とする請求項１１に記載のフレキシブルプリント基板。
【請求項１３】
請求項８乃至１２のいずれか１項に記載のフレキシブルプリント基板を備えることを特徴とする電子機器。
【請求項１４】
複数の層を有するフレキシブルプリント基板であって、
光透過性を有する第１の基材と、
前記第１の基材の一方面に形成される第１の配線パターンと、
前記第１の配線パターンの表面を被覆する不透明な第１のカバーレイフィルムと、
光透過性を有し、前記第１の基材の他方面に配置される第２の基材と、
前記第１の基材の他方面と前記第２の基材の一方面との間に形成される第２の配線パターンおよびパターン指標と、
前記第２の配線パターンおよび前記パターン指標の表面を被覆する不透明な第２のカバーレイフィルムとを備え、
前記第１のカバーレイフィルムには、開口部が形成され、
前記第１のカバーレイフィルムは、前記第１の配線パターンが形成されていない前記開口部のまわりで前記基材の一方面を被覆し、
前記開口部は、前記パターン指標が前記開口部から視認することができるように形成されていることを特徴とするフレキシブルプリント基板。
【請求項１５】
前記パターン指標は、前記第１の基材の他方面と前記第２の基材の一方面との間に形成される第２の配線パターンの一部を抜いた中抜きすることによって形成されることを特徴とする請求項１４に記載のフレキシブルプリント基板。
【請求項１６】
前記パターン指標は、数字、文字、記号、マーク、および前記数字と前記文字と前記記号と前記マークのうち任意の組み合わせから選択されることを特徴とする請求項１４または１５に記載のフレキシブルプリント基板。
【請求項１７】
前記パターン指標は、前記フレキシブルプリント基板を折り曲げる際の目印となる折り目指標、製品記号を含む中から選択されることを特徴とする請求項１４乃至１６のいずれか１項に記載のフレキシブルプリント基板。
【請求項１８】
前記パターン指標が、数字、文字、記号、および前記数字と前記文字と前記記号の組み合わせのいずれかである場合、前記フレキシブルプリント基板の一方の面から前記パターン指標を目視した際に前記パターン指標が反転して形成されていることを特徴とする請求項１７に記載のフレキシブルプリント基板。
【請求項１９】
請求項１４乃至１８のいずれか１項に記載のフレキシブルプリント基板を備えることを特徴とする電子機器。